(57)【要約】【課題】どの種類の鳥が適合できるのかを外部から瞬時に確認できるように構成された鳥の巣箱を提供する。【解決手段】選択部材５が、鳥の種類に応じて特定した直径で構成された入口用開口部７を有し、該入口用開口部７の直径を変更して異なる大きさの鳥の通過を許容することができるように構成された鳥の巣箱１において、前記選択部材５に、前記入口用開口部７の寸法に関連した表示部８，１０を設け、選択した前記選択部材５が設置されると、前記入口用開口部７が前壁２の開口部の位置に形成され、かつ、前記表示部８，１０が、前記前壁２の開口部３，４を介して外部から視認可能となるように、前記前壁２の開口部３，４が構成されている。【選択図】図５
2007209342.tif 000002
【特許請求の範囲】
【請求項１】
入口用開口部が設けられた前壁と、後壁と、底部と、屋根部と、支持機構に固定するための固定手段とを備え、
前記前壁が、一つの分類を選択できるプレート状の選択部材と協働する開口部を有し、
前記選択部材が、鳥の種類に応じて特定した直径で構成された入口用開口部を有し、該入口用開口部の直径を変更して異なる大きさの鳥の通過を許容することができるように構成された鳥の巣箱において、
前記選択部材に、前記入口用開口部の寸法に関連した表示部を設け、
選択した前記選択部材が設置されると、前記入口用開口部が前記前壁の開口部の位置に形成され、かつ、前記表示部が、前記前壁の開口部を介して外部から視認可能となるように、
前記前壁の開口部が構成されていることを特徴とする、巣箱。
【請求項２】
前記固定手段が、前記後壁に設けられ、
前記後壁が、前記屋根部を支持し、
前記底部及び前記前壁が、前記屋根部に摺動可能に取り付けられる、請求項１に記載の巣箱
【請求項３】
前記後壁と前記屋根部とが、一体的ユニットとして構成される、請求項２に記載の巣箱。
【請求項４】
前記底部と前記前壁とが、一体的ユニットとして構成される、請求項２に記載の巣箱。
【請求項５】
前記屋根部が、二重壁構造で構成される、請求項１に記載の巣箱。
【請求項６】
前記前壁と前記後壁の両方又はいずれか一方が、二重壁構造で構成される、請求項１に記載の巣箱。
【請求項７】
前記底部と前記屋根部の両方又はいずれか一方が、角柱構造である、請求項１に記載の巣箱。
【請求項８】
前記底部と前記屋根部の両方又はいずれか一方が、プラスチック材からなり、かつ、押出成形される、請求項７に記載の巣箱。
【請求項９】
前記屋根部の前端と後端が、それぞれエッジ装飾材でカバーされる、請求項５に記載の巣箱。
【請求項１０】
前記前壁、前記後壁、前記底部、及び前記屋根部のうちの少なくとも一つが、プラスチック材で構成される、請求項１〜９のいずれかに記載の巣箱。
【請求項１１】
少なくとも、外表面が、紫外線に耐性のあるプラスチック材で構成される、請求項１０に記載の巣箱。
【請求項１２】
前記プラスチック材が、ＡＳＡ樹脂である、請求項１０に記載の巣箱。
【請求項１３】
前記プラスチック材の厚さが、全体として１．５ｍｍ以上２．５ｍｍ以下である、請求項１０に記載の巣箱。
【請求項１４】
前記入口用開口部が、円形状に構成される、請求項１に記載の巣箱。
【請求項１５】
前記入口用開口部が、楕円状に構成される、請求項１に記載の巣箱。
【請求項１６】
前記入口用開口部の最大寸法が、２５ｍｍから５０ｍｍの範囲で構成される、請求項１に記載の巣箱。
【請求項１７】
前記入口用開口部の最大寸法を２５．２ｍｍから３０．８ｍｍの範囲で構成する選択部材と、前記入口用開口部の最大寸法を３１．５ｍｍから３８．５ｍｍの範囲で構成する選択部材と、前記入口用開口部の最大寸法を３６ｍｍから４４ｍｍの範囲で構成する選択部材とを備える、請求項１６に記載の巣箱。
【請求項１８】
前記表示部が、前記入口用開口部の最大寸法を表示する、請求項１６に記載の巣箱。
【請求項１９】
前記表示部が、鳥の種類を表示する、請求項１に記載の巣箱。
【請求項２０】
前記前壁、前記後壁、前記底部、前記屋根部を構成する２以上の部材が、留め金で相互に連結される、請求項１に記載の巣箱。
【請求項２１】
雨水用の排水孔が、前記底部に設けられている、請求項１に記載の巣箱。
【請求項２２】
少なくとも前記底部の内面が、平面状に構成される、請求項１に記載の巣箱。
【請求項２３】
前記後壁と前記屋根部とが、屋根部一体化ユニットとして構成され、かつ、前記底部と前記前壁とが、底部一体化ユニットとして構成され、
前記底部一体化ユニットが、前記屋根部一体化ユニットに着脱可能に固定される、請求項１に記載の巣箱。
【請求項２４】
前記底部の両端と前記底部の上方に延在する前記前壁の端部とに、剛性ガーゼ状網部が連結され、
前記剛性ガーゼ状網部が、屋根部の内面と同一形状で構成される、請求項７に記載の巣箱。
【請求項２５】
前記底部、前記前壁及び前記屋根部の内側プレートを前方に摺動させて、前記屋根部及び後壁より取り外した後、巣箱の管理者が巣箱の内部に手を挿入することができるように、前記屋根部の内側プレートの前方に、切欠部が形成される、請求項７に記載の巣箱。
【請求項２６】
前記底部に餌皿を設けて、前記底部が飼育台として機能する、請求項１に記載の巣箱。
【請求項２７】
前記固定手段が、
相互に平行に延在するように後壁の外面に設けられた２本の垂直リブと、
前記２本の垂直リブを越えて延在し、少なくとも１つの吊下孔を有し、前記２本の垂直リブの外側の領域に設けられた水平下方端部及び水平上方端部を介して連結されている固定プレートとからなり、
前記２本の垂直リブの内側に位置する少なくとも前記固定手段の下端が開口して、水平間隙路を規定し、
前記固定手段の垂直側端部が開口して、２つの垂直水平間隙路をそれぞれ規定している
請求項１に記載の巣箱。
【請求項２８】
前記固定プレートが、前記後壁の一部を構成する、請求項２７に記載の巣箱。
【請求項２９】
前記固定手段が、
対称に配置され、大径開口部と小径開口部とからなる少なくとも２つの吊下孔を備え、
２つの係止手段を、前記２つの吊下孔の大径開口部より挿入して小径開口部と係止させ、前記係止手段によって支持される、請求項１に記載の巣箱。
【請求項３０】
前記前壁、前記後壁、前記底部、前記屋根部を構成する２以上の部材が、プラスチック射出成形で製造される、請求項１に記載の巣箱。
【請求項３１】
前記前壁が、楕円状に構成され、
前記前壁の下方領域が、略半円状に構成され、前記前壁の上方領域が、略楕円状に構成される、請求項１に記載の巣箱。
【請求項３２】
前記選択部材が、同一の外形寸法で構成された複数の選択部材であり、前記選択部材を支持する支持手段が、前記前壁の開口部に設けられている、請求項１に記載の巣箱。
【請求項３３】
前記選択部材が、前記前壁に対する位置を反転させることで、入口用開口部及び表示部を切り替えることができるように構成される、請求項１に記載の巣箱。
【請求項３４】
前記底部、前記前壁及び前記屋根部の内側プレートを前方に摺動させて一定間隔を移動させた後、前記カバー部材を開くことができるように、前記屋根部の内側プレートに、前記屋根部の内側プレートの切欠部を覆うカバー部材が回動可能に連結されている、請求項２５に記載の巣箱。
【請求項３５】
少なくとも前記カバー部材の一部が、透明である、請求項３４に記載の巣箱。
【発明の詳細な説明】
【技術分野】
【０００１】
本発明は、鳥の巣箱に関し、特に、入口用開口部が設けられた前壁と、後壁と、底部と、屋根部と、支持機構に固定するための固定手段とを備え、前記前壁が、一つの分類を選択できるプレート状の選択部材と協働する開口部を有し、前記選択部材が、鳥の種類に応じて特定した直径で構成された入口用開口部を有し、該入口用開口部の直径を変更して異なる大きさの鳥の通過を許容することができるように構成されている鳥の巣箱に関するものである。
【背景技術】
【０００２】
例えば、英国特許出願２０４０６６２号には、入口用開口部を有する巣箱が開示されている。前記公知の巣箱は、前壁を備える。該前壁は、縮径用環状部材を取り付けることができる入口用開口部を有している。前記縮径用環状部材を使用しない場合、円形の入口用開口部の直径は最も大きくなる。入口用開口部に前記縮径用環状部材を取り付ければ、入口用開口部の直径を適切な大きさに変更することができる。また、巣箱にすでに取り付けた縮径用環状部材に別の縮径用環状部材を取り付ければ、入口用開口部の直径をさらに小さくすることが可能である。その結果、入口用開口部の直径の適切な大きさを、所望の通り選択することができ、これにより、巣箱の中に入ることが可能な鳥の大きさを適宜変更することができる。
【０００３】
また、英国特許出願２１８２５３５号には、長手状の開口部を有する一部円筒状のハウジング部を備えた巣箱が開示されている。前記ハウジング部の長手状の開口部に、円筒部材が取り付けられ、この該円筒部材が、寸法の異なる入口用開口部を形成する。前記円筒部材をハウジング部の開口部に取り付けることにより、所望の寸法に構成した入口用開口部を選択することが可能である。
【特許文献１】英国特許出願２０４０６６２号
【特許文献２】英国特許出願２１８２５３５号
【発明の開示】
【発明が解決しようとする課題】
【０００４】
本発明は、どの種類の鳥が適合できるのかを外部から瞬時に確認できるように構成された鳥の巣箱を提供することを課題とする。
【課題を解決するための手段】
【０００５】
前記課題を解決するための手段として、本発明は、前記タイプの巣箱において、入口用開口部に、前記入口用開口部の寸法に関連した表示部を設け、選択した前記選択部材が設置されると、前記入口用開口部が前記前壁の開口部の位置に形成され、かつ、前記表示部が、前記前壁の開口部を介して外部から視認可能となるように、前記前壁の開口部が構成されていることを特徴とする。
【０００６】
前記巣箱は、前記固定手段が、前記後壁に設けられ、前記後壁が、前記屋根部を支持し、前記底部及び前記前壁が、前記屋根部に摺動可能に取り付けられるように構成されてもよい。
【０００７】
前記巣箱は、前記後壁と前記屋根部とが一体的ユニットとして構成されることを特徴とするようにしてもよい。
【０００８】
前記巣箱は、断熱性を実現する目的で、二重壁構造で構成されることを特徴とするようにしてもよい。
【０００９】
前記巣箱は、前壁と後壁の両方又はいずれか一方が二重壁構造で構成されることを特徴とするようにしてもよい。このような構成であれば、巣箱の内部を、夏の時期には涼しく、冬の時期には暖かくすることができる。
【００１０】
本発明の異なる実施形態として、前記巣箱は、前記底部と前記屋根部の両方又はいずれか一方が、角柱構造（prismatic form）であることを特徴とするようにしてもよい。「角柱構造」とは、いずれの位置で切断しても、断面形状が同一であることを意味する。前記角柱構造を採用する場合、前記底部と前記屋根部の両方又はいずれか一方が、プラスチック材からなり、かつ、押出成形されるのが好ましい。
【００１１】
特に押出成形された屋根部が二重壁構造である場合には、前記巣箱は、前記屋根部の前端と後端が、それぞれエッジ装飾材でカバーされることを特徴としているのが好ましい。後方側のエッジ装飾材は、別個の部材を構成するものであってもよいし、又後壁を構成するものであってもよく、後壁と屋根部とが一体的ユニットとして構成される場合に、特に有効なものとなる。
【００１２】
前記前壁、前記後壁、前記底部、及び前記屋根部のうちの少なくとも一つが、プラスチック材で構成される場合には、実用性及びコスト削減を実現することができる。プラスチック材を用いれば、射出成形及び押出成形の両方又はいずれか一方を容易に行うことができる。プラスチック材は、例えば、無補強のプラスチック材に比べて耐衝撃性が向上するように任意に補強してもよい。
【００１３】
少なくとも入口用開口部の領域及び前壁の開口部にプラスチック材を使用すれば、大型の鳥が入口用開口部及び前壁の開口部を広げることができない。木材が使用される場合には、キツツキが入口用開口部及び前壁の開口部を広げようとすることがよくある。プラスチック材を使用すれば、希望外の鳥又は少なくとも想定外の鳥が巣箱に入るのを防止することができる。
【００１４】
紫外線によって引き起こされるプラスチック材の劣化及び変色を、できるだけ回避するため、前記巣箱は、少なくとも、外表面が、紫外線に耐性のあるプラスチック材で構成されることを特徴としているのがよい。
【００１５】
好ましくは、前記巣箱は、プラスチック材が、ＡＳＡ樹脂であることを特徴としているのがよい。ＡＳＡ樹脂は、ＡＢＳ樹脂と比較して耐候性に優れている。
【００１６】
前記巣箱は、前記プラスチック材の厚さが、全体として１．５ｍｍ以上２．５ｍｍ以下であることを特徴としているのがよい。軽量であっても、十分な強度を備えた構造を、実現する必要があり、補強リブを使用すれば、機械的強度及び形状の不変性をさらに向上することができる。
【００１７】
好ましくは、前記巣箱は、前記入口用開口部が、円形状に構成されるのがよい。あるいは、前記巣箱は、前記入口用開口部が、楕円状に構成されるのが好ましい。
【００１８】
前記入口用開口部が、複数のプレート状の選択部材に設けられてもよい。前記構成の組み合せとして、例えば、寸法が異なる３つの入口用開口部を、楕円状開口と組み合わせてもよい。愛鳥家は、実際にどんな種類の小型の鳥も世話することが可能となる。
【００１９】
実用的な観点から、前記巣箱は、前記入口用開口部の最大寸法が、２５ｍｍから５０ｍｍの範囲で構成されることを特徴とするようにしてもよい。
【００２０】
実用的な観点から、前記巣箱は、前記入口用開口部の最大寸法を２５．２ｍｍから３０．８ｍｍの範囲で構成する選択部材と、前記入口用開口部の最大寸法を３１．５ｍｍから３８．５ｍｍの範囲で構成する選択部材と、前記入口用開口部の最大寸法を３６ｍｍから４４ｍｍの範囲で構成する選択部材とを備えてもよい。また、楕円状開口部を備えた４つめの選択部材を、任意に追加してもよい。
【００２１】
実用的な観点から、前記巣箱は、前記表示部が、前記入口用開口部の最大寸法を表示することを特徴とするようにしてもよい。円形状の前記入口用開口部の直径は、例えば、ミリメートル又はセンチメートルで表示される。前記巣箱は、前記表示部が、前記入口用開口部の最大寸法又は鳥の種類を表示することを特徴とするようにしてもよい。
【００２２】
巣箱の組み立てが容易となるように、前記巣箱は、前記前壁、前記後壁、前記底部、前記屋根部を構成する２以上の部材が、留め金で相互に連結されることを特徴とするようにしてもよい。
【００２３】
好ましくは、前記巣箱は、雨水用の排水孔が、前記底部に設けられていることを特徴とするようにしてもよい。
【００２４】
前記巣箱は、少なくとも前記底部の内面が、平面状に構成されることを特徴とするようにしてもよい。内壁が、平面状であれば、雛は、より長く巣箱にとどまり、本格的に飛ぶことができるようになって、はじめて巣箱より去ることが判明している。
【００２５】
前記巣箱は、前記後壁と前記屋根部とが、屋根部一体化ユニットとして構成され、かつ、前記底部と前記前壁とが、底部一体化ユニットとして構成され、前記底部一体化ユニットが、前記屋根部一体化ユニットに着脱可能に固定されることを特徴としている。このような着脱可能な固定構造が採用されていれば、リスや猫等の捕食獣が巣箱を開くことができず、巣箱に入る鳥の安全を確保することができる。
【００２６】
しかしながら、短時間の検査が必要であることを考慮して、巣箱を開くことができるように構成されているのが好ましい。検査には、例えば、「鳥の安否、清掃作業の実行、及び卵の産み落としの確認」、「水や餌の量の確認」等がある。巣箱を開くときには、巣箱の中にいる鳥が怯えて飛び立ち、巣箱に戻らないような事態が起こらないように注意する必要がある。そこで、前記巣箱は、前記底部の両端と前記底部の上方に延在する前記前壁の端部とに、剛性ガーゼ状網部が連結され、前記剛性ガーゼ状網部が、屋根部の内面と同一形状で構成されることを特徴とするように構成してもよい。あるいは、短期間の検査等の目的で、巣箱を開くことができるように、前記巣箱は、前記底部、前記前壁及び前記屋根部の内側プレートを前方に摺動させて、前記屋根部及び後壁より取り外した後、巣箱の管理者が巣箱の内部に手を挿入することができるように、前記屋根部の内側プレートの前方に、切欠部が形成されることを特徴とするようにしてもよい。
【００２７】
前記巣箱は、前記底部に餌皿を設けて、前記底部が飼育台として機能することを特徴とするようにしてもよい。
【００２８】
前記巣箱は、例えば、特別な連結手段のような構成を付加せずに、様々な支持構造に固定できるのが好ましい。かかる目的を実現する手段として、前記巣箱は、前記固定手段が、相互に平行に延在するように後壁の外面に設けられた２本の垂直リブと、前記２本の垂直リブを越えて延在し、少なくとも１つの吊下孔を有し、前記２本の垂直リブの外側の領域に設けられた水平下方端部及び水平上方端部を介して連結されている固定プレートとからなり、前記２本の垂直リブの内側に位置する少なくとも前記固定手段の下端が開口して、水平間隙路を規定し、前記固定手段の垂直側端部が開口して、２つの垂直水平間隙路をそれぞれ規定していることを特徴とする。固定プレートが後壁の一部を構成する場合には、構成が簡易なものとなって、製造コストの削減を図ることができる。あるいは、前記巣箱は、前記固定手段が、対称に配置され、大径開口部と小径開口部とからなる少なくとも２つの吊下孔を備え、２つの係止手段を、前記２つの吊下孔の大径開口部より挿入して小径開口部と係止させ、前記係止手段によって支持されることを特徴とするようにしてもよい。
【００２９】
前記巣箱は、前記前壁、前記後壁、前記底部、前記屋根部を構成する２以上の部材が、プラスチック射出成形で製造されるのが好ましい。
【００３０】
前記巣箱は、前記前壁が、楕円状に構成され、前記前壁の下方領域が、略半円状に構成され、前記前壁の上方領域が、略楕円状に構成されることを特徴とするようにしてもよい。
【００３１】
前記巣箱は、前記選択部材が、同一の外形寸法で構成された複数の選択部材であり、前記選択部材を支持する支持手段が、前記前壁の開口部に設けられていることを特徴とするようにしてもよい。
【００３２】
実用的な観点から、前記選択部材は、紛失することがないように巣箱に固定されているのが好ましい。具体的には、前記巣箱は、前記選択部材が、前記前壁に対する位置を反転させることで、入口用開口部及び表示部を切り替えることができるように構成されることを特徴とする。
【００３３】
前記屋根部の内側プレートに切欠部が形成されている前記巣箱においては、前記底部、前記前壁及び前記屋根部の内側プレートを前方に摺動させて一定間隔を移動させた後、前記カバー部材を開くことができるように、前記屋根部の内側プレートに、前記屋根部の内側プレートの切欠部を覆うカバー部材が回動可能に連結されていることを特徴とするようにしてもよい。前方に摺動させることができる前記底部、前記前壁、前記屋根部の内側プレート及びカバー部材を備えた前記実施形態によれば、巣箱の管理者は、注意深くカバー部材を開けて、巣箱の内部に手を入れることができる。
【００３４】
前記実施形態においては、少なくとも前記カバー部材の一部が、透明であることを特徴とするのが好ましい。かかる実施形態によれば、巣箱の管理者は、カバー部材を開ける前に、巣箱の状態を観察することができ、例えば、一匹以上の鳥、卵、餌、ごみ、グランドカバーを出し入れする等の必要がある時に、適切な処置を実施することができる。
【発明を実施するための最良の形態】
【００３５】
任意の実施形態を複数示した添付の図面を参照して、本発明を説明する。
【００３６】
各図は、相互に結合した大径開口部３と小径開口部４とを有する前壁２を備えた鳥の巣箱１を示している。図５に示すように、大径開口部３は、小径開口部４より大きく構成されている。矢印６で示した方向より、選択プレート５を二重壁構造の前壁２に挿入すると、支持手段が設けられた図５の位置に押し入れることができる。選択プレート５の入口用開口部７は、大径開口部３と同一位置に配置される。例示としてＡＢＣと記載された文字８は、小径開口部４を介して視認することができる。選択プレート５に記載されるＡＢＣの文字は、大径開口部３及び入口用開口部７を通過できる鳥の種名を表示するものである。前記選択プレート５を設置すれば、的確な入口用開口部の選択及び正確な鳥の種名の視認が可能となる。
【００３７】
円形矢印９で示した回転方向に選択プレート５を反転すると、入口用開口部７が下側に移動し、異なる種類の鳥の名前ＸＹＺの文字１０が上側で目視できる状態となる。選択プレート５を前壁２の挿入用スロット１１に挿入すると、小径開口部４が入口用開口部７を介して開口状態となり、違う種類の（より小さい）鳥の名前ＸＹＺが、大径開口部３を介して目視できる状態となる。
【００３８】
以下、固定手段を設ける方法について説明する。
【００３９】
巣箱１は、後壁１２と、底部１３と、屋根部１４と、巣箱１を支持機構に取り付けるのに使用される後述の固定手段とを更に備える。
【００４０】
図８〜図１３に示すように、前記固定手段が後壁１２に設けられることにより、後壁１２は支持機構に固定される。図示の実施形態においては、屋根部１４は、後壁１２と一体的ユニットとして構成されている。特に、後壁１２と屋根部１４とが一体的ユニットとして構成されていることは、図８に明確に表されている。
【００４１】
特に図８に示すように、屋根部１４は、内側プレート１５と外側プレート１６とを有し、内側プレート１５には、２つの摺動リブ１７，１８が設けられている。２つの摺動リブ１７，１８は、自由端領域で広がるように構成されている。摺動リブ１７，１８は、後壁１２と屋根部１４との一体的ユニットにおいて、対称に配置され、又は、全体として対称に構成されている。摺動リブ１７，１８は、長手溝１９，２０を摺動案内するのに使用される。長手溝１９，２０は底部１３に設けられ、摺動リブ１７，１８と協働する。これにより、底部１３は、屋根部１４に対して摺動させることができる。
【００４２】
例えば、図４に示すように、底部１３は、前壁２を支持する。図３と図４を比較すれば明らかなように、前壁２と屋根部１４の内側プレート１５とは、形状が一致し、前壁２と屋根部１４とが実質上十分に密閉した状態で結合される。その結果、巣箱１の風防機能が強化されるため、鳥にとっての快適性が向上する。
【００４３】
特に図１に示すように、前壁２は、略卵状に構成されている。巣箱に関して調査したところ、前記構成は、潜在的なユーザーに非常に高く評価されている形状であるという結果が得られた。
【００４４】
図６は、前壁２の内部構造を示している。図示の前壁２の内側プレート２１は、外周垂直端部２２と、凹み部２３とを備える。凹み部２３は、挿入用スロット１１と連通し、図６に示した方法で選択プレート５を収容するように構成されている。前壁２は、ピン２４を外側プレート２５のピン止め穴に挿入し、外側プレート２５を内側プレート２１に固定して構成される。これにより、凹み部２３は、選択プレート５の支持手段となる。
【００４５】
後壁１２の下部に、弾性舌状片２６が設けられている。特に図９に明確に示されているように、弾性舌状片２６は、留め金部２７が底部１３の外側の凹部と嵌合し、底部１３が屋根部１４に対して偶発的に外方に摺動するのを防止するロック手段として機能する。
【００４６】
図６及び図７に示すように、剛性ガーゼ状網部２８が、底部１３の両端及び前記底部１３の両端より上方に突出した前壁２の端部に固定されている。剛性ガーゼ状網部２８は、屋根部１４の内側プレート１５の形状と一致するように構成されている。
【００４７】
特に図１０に明確に示されているように、後壁１２には、巣箱１の全体を支持機構に固定する固定手段が設けられている。固定手段は、相互に平行な２つの垂直リブ２９，３０を備える。垂直リブ２９，３０は、後壁１２の外面において延在する。固定手段は、固定プレート３１を備える。固定プレート３１は、垂直リブ２９，３０を越えて延在し、２つの吊下孔３２，３３を有する。固定プレート３１は、垂直リブ２９，３０より外側に位置した連結領域３４〜３７の水平下方端部３８及び水平上方端部３９を介して、後壁１２に連結されている。リブ２９，３０の内側に位置する水平下方端部３８及び水平上方端部３９の領域は、開口しているので、前記領域は、上部水平間隙路４０及び下部水平間隙路４１をそれぞれ規定している。また、垂直側端部４２，４３は開口しているので、前記垂直側端部４２，４３は、２つの垂直水平間隙路４４，４５をそれぞれ規定している。
【００４８】
特に図８に明確に示されているように、屋根部１４は、二重壁構造である。屋根部１４は、押出成形で製造される。屋根部１４は、角柱構造であり、その断面形状は、いずれの長手位置においても同一である。内側プレート１５と外側プレート１６は、公知の手段で、一体的に成形された連結用リブを介して相互に連結される。
【００４９】
例えば、図６及び図７に示すように、屋根部１４の開口した端部は、エッジ装飾材５２でカバーされている。
【００５０】
図１１は、図１０で示した巣箱１の縮小斜視図である。
【００５１】
図１２は、ポール４６によって支持された状態の巣箱１の斜視図である。ポール４６には、突出部が設けられている。突出部は、２つの垂直リブ２９，３０の間に挿入される。突出部の自由端面には、上方に延在する連結プレート（不図示）が設けられる。連結プレートは、２つの垂直リブ２９，３０の間に挿入された後、下部水平間隙路４１と嵌合する。
【００５２】
前記構造によれば、巣箱１を１度移動させるだけで、連結プレート付きの突出部を設けたポール４６への着脱が可能となる。
【００５３】
図１３に示すように、環状ベルト材４７を、固定プレート３１の垂直水平間隙路４４，４５に通し、例えば、木又はポールに巻き付けることもできる。
【００５４】
釘、ネジ、フック等の係止手段を２つの吊下孔３２，３３に係止すれば、例えば、壁面等の固定場所に巣箱１を吊り下げることができるのは当然である。
【００５５】
図１４及び図１５に示すように、巣箱１は、前壁２なしで使用されてもよい。図１４に示す実施形態では、屋根部１４付きの後壁１２は、皿状底部４８を支持する。また、図１５に示す実施形態では、屋根部１４付きの後壁１２は、２つの皿部５０，５１を有する底部４９を支持する。２つの皿部５０，５１は、例えば、鳥の餌皿及び水皿としての機能を果たす。
【００５６】
図１４及び図１５の実施形態によれば、飼育台と飼育箱の両方又はいずれか一方の機能を果たすことができる。
【００５７】
図１６に示すように、略半円筒状の底部６１の後方は、略三日月状に構成された垂直プレート６２によって閉鎖される。底部６１の前方は、外側プレート６５を備える前壁６４の内側プレート６３によって閉鎖される。屋根部の第１内側プレート６６の後方は、後壁の第１内側プレート６７によって閉鎖される。屋根部の第１内側プレート６６は、切欠部６８を有する。巣箱の設置者は、底部６１、前壁６４と屋根部の第１内側プレート６６を摺動させて後壁と屋根部の一体ユニットから取り外すと、切欠部６８に手を挿入することができる。例えば、図３５を参照すれば、前記のように巣箱６９が分解できることが理解できる。
【００５８】
前壁６４の内側プレート６３と外側プレート６５は、連通用開口部７０をそれぞれ有する。前壁６４の内側プレート６３と外側プレート６５との間には、選択プレート７１が設置される。選択プレート７１には、特定の直径で構成された入口用開口部７２が形成されている。選択プレート７１は、射出成形によって製造され、厚さ２ｍｍの前壁及び４つの周壁と、入口用開口部７２を規定する筒状部とからなる。
【００５９】
図１７に示すように、連通用開口部７０は、上方大径開口部と下方小径開口部とからなる。入口用開口部７２は、上方大径開口部の領域に設置され、表示部７３は、下方小径開口部に設置される。その結果、使用者は、外部からどの入口用開口部を選択したのかを確認することができる。図１７に示された実施形態においては、選択プレート７１の表裏両面に、表示部７３が設けられている。
【００６０】
図示の表示部には、参照符号７３が付されている。図１７では、表示部７３は、入口用開口部７２の直径が２８ｍｍであることを表示している。また、図３５では、表示部７３は、入口用開口部７２の直径が３５ｍｍであることを表示している。
【００６１】
図１８に示すように、屋根部７４の内壁部の左右両側には、長手リブ７５が設けられている。屋根部７４の後方には、後壁の外側プレート７６が設けられている。
【００６２】
図１９に示すように、後壁の外側プレート７６には、複数の補強リブ７７が設けられている。後壁の外側プレート７６は、鍵状の吊下孔７８，７９を有する。図示のように設けられた吊下孔７８，７９を使用し、ネジ等の係止手段を後壁の外側プレート７６に係止し、巣箱６９を吊り下げることができる。
【００６３】
図２０に示すように、底部６１の外側プレート８１は、前壁６４の外側プレート６５と一体化されている。図２１に示すように、底部６１の外側プレート８１は、２つの排水孔１８１，１８２を有する。図２３に明確に示されているように、屋根部の第１内側プレート６６と後壁の第１内側プレート６７の一体化ユニット８４には、外側に延在するリブ８２，８３が設けられている。図示の実施形態においては、本発明の巣箱６９は、全体の高さが１４４ｍｍ、奥行きが１３２ｍｍで構成されているが、本発明に係る巣箱６９の寸法は、前記のような寸法に限定されるものではない。
【００６４】
図２５及び図２６には、屋根部の第１内側プレート６６と後壁の第１内側プレート６７の一体化ユニット８４の全体的な構造が示されている。図２７は、屋根部の外側プレートの斜視図であり、この屋根部の外側プレートには、様々な固定用部材及び補強部材が設けられている。図２８に示すように、底部の内側プレートと前壁の内側プレートの一体化ユニット８５の排水孔は、嵌合端部を備えた３つの弾性舌状嵌合片が下方に形成された管状部材８６，８７で構成されている。底部の内側プレートと前壁の内側プレートの一体化ユニット８５には、様々な補強リブが設けられている。管状部材８６，８７は、底部の外側プレート８１に設けられた排水孔１８１，１８２に接続される。
【００６５】
寸法は、ミリメートルで表した数字で表示される。これにより、比較的小型の鳥の寸法を、巣箱６９に表示することができる。
【００６６】
図３３に示すように、屋根部の第２内側プレートは、複数の補強リブと２つの長手リブ７５を有する。底部６１の摺動リブ８９，９０は、長手リブ７５の上方で摺動する。長手リブ７５は、後壁の外側プレート７６の全体に渡って延在することがなく、後壁の外側プレート７６に対して自由空間を形成する。図３５に示す方法で、前記自由空間に、底部６１の摺動リブ８９，９０の突出端部９１が収容される。突出端部９１を長手リブ７５の上方で移動させながら底部６１を摺動させると、突出端部９１が長手リブ７５の後端より後方に移動して底部６１が固定される。図３５の構成から明らかなように、人間が底部６１の後端を少し持ち上げなければ、底部６１を前方に摺動させることができない。これにより、底部６１の着脱が容易なものとなる。
【００６７】
図３４は、後壁の第２内側プレートと一体化された屋根部の第２内側プレートの後方斜視図である。図１、図３５等に示すように、少なくとも、巣箱６９の前壁は、楕円状に構成されている。図３６に示すように、切欠部６８を備えた屋根部の第１内側プレート６６には、カバー部材９３を取り付けることが可能である。カバー部材９３は、透明材からなり、２つのアーム部９４，９５を有する。２つのアーム部９４，９５は、それぞれ内側方向に突出した突起部９６，９７をそれぞれ備える。突起部９６，９７は、屋根部の第１内側プレート６６の孔部９８，９９に挿入され、回動可能な連結が可能となる。
【００６８】
図３７に示すように、カバー部材９３は、各アーム部９４，９５のバネ力を利用して突起部９６，９７を屋根部の第１内側プレート６６の孔部９８，９９と嵌合させると、屋根部の第１内側プレート６６に回動可能に連結される。屋根部の第１内側プレート６６の前記孔部９８，９９は、例えば、図１６、図２２〜２６及び図３５に表されている。
【００６９】
図３８〜図４１は、前記カバー部材９３を示したものである。カバー部材９３は、指掛け孔１００を有する。使用者は、指掛け孔１００が設けられていることにより、カバー部材９３の開閉が容易となる。特に図４０に示されているように、前記指掛け孔１００の下方には、指掛け孔１００の一部を覆う凹み部が形成されている。図３７〜４０に示すように、カバー部材９３には、通気用開口部１０１を規定する複数のリブが設けられている。
【図面の簡単な説明】
【００７０】
【図１】本発明に係る巣箱の正面図である。
【図２】本発明に係る巣箱の右側面図である。
【図３】本発明に係る巣箱の斜視図である。
【図４】図３の巣箱の斜視図であって、前壁と底部を外側に摺動させて一定間隔移動させた状態を示したものである。
【図５】図４の巣箱の斜視図に、入口用開口部を有する選択プレートの２つの挿入方向を示したものである。
【図６】図４及び図５に示した巣箱に剛性ガーゼ状網部を設けた変形例の斜視図であって、二重壁構造の前壁の外側プレートを取り外した状態にして選択プレートの支持手段を示したものである。
【図７】図６の巣箱の斜視図であって、二重壁構造の前壁の外側プレートを取り付けた状態を示したものである。
【図８】後壁との一体化ユニットとして構成された屋根部の斜視図である。
【図９】弾性舌状片で後壁に固定された状態の底部の後方を示した拡大斜視図である。
【図１０】固定手段を有する巣箱の背面図である。
【図１１】固定手段を有する図１０の巣箱の斜視図である。
【図１２】図１１の巣箱の斜視図であって、ポールに固定された状態を示したものである。
【図１３】図１１の巣箱の斜視図であって、ポール、木等に固定することが可能な環状ベルト材を取り付けた状態を示したものである。
【図１４】本発明に係る巣箱の斜視図であり、前壁を使用せず、底部を皿状に構成した状態を示したものである。
【図１５】図１４の巣箱を機能的側面から変形したものであって、底部に鳥の餌皿及び水皿を設けた本発明に係る巣箱の斜視図である。
【図１６】他の実施形態に係る巣箱の底部と前壁と屋根部の第１内側プレートの斜視図である
【図１７】図１６に示す前壁と一体化した底部の斜視図である。
【図１８】図１６に示す後壁と一体化した屋根部の前方斜視図である。
【図１９】図１６に示す後壁と一体化した屋根部の後方斜視図である。
【図２０】底部の外側プレートと前壁の外側プレートの斜視図である。
【図２１】排水孔を有する底部の外側プレートと前壁の外側プレートの底面図である。
【図２２】屋根部の第１内側プレートと後壁の第１内側プレートの背面図である。
【図２３】摺動リブを有する屋根部の第１内側プレートと後壁の第１内側プレートの平面図である。
【図２４】摺動リブを有する屋根部の第１内側プレートと後壁の第１内側プレートの左側面図である。
【図２５】摺動リブを有する屋根部の第１内側プレートと後壁の第１内側プレートの後方斜視図である。
【図２６】摺動リブを有する屋根部の第１内側プレートと後壁の第１内側プレートの前方斜視図である。
【図２７】屋根部の外側プレートの斜視図である。
【図２８】底部の内側プレートと前壁の内側プレートの背面図である。
【図２９】底部の内側プレートと前壁の内側プレートの底面図である。
【図３０】底部の内側プレートと前壁の内側プレートの前方斜視図である。
【図３１】底部の内側プレートと前壁の内側プレートの後方斜視図である。
【図３２】底部の内側プレートと前壁の内側プレートの左側面図である。
【図３３】摺動リブを有する屋根部の第２内側プレートと後壁の第２内側プレートの前方斜視図である。
【図３４】摺動リブを有する屋根部の第２内側プレートと後壁の第２内側プレートの後方斜視図である。
【図３５】他の実施形態に係る巣箱の分解斜視図である。
【図３６】後壁の第１内側プレートと屋根部の第１内側プレートとからなる一体化ユニットと、着脱可能に連結されるカバー部材の分解斜視図である。
【図３７】図３６に示した一体化ユニットとカバー部材を連結した状態の斜視図である。
【図３８】カバー部材の前方斜視図である。
【図３９】カバー部材の後方斜視図である。
【図４０】カバー部材の底面図である。
【図４１】カバー部材の平面図である。
【符号の説明】
【００７１】
１，６９  巣箱
２，６４  前壁
３  大径開口部
４  小径開口部
５，７１  選択プレート
７，７２  入口用開口部
１２  後壁
１３，６１  底部
１４  屋根部
１５  屋根部の内側プレート
１６  屋根部の外側プレート
１７，１８  摺動リブ
１９，２０  長手溝
２６  弾性舌状片
２７  留め金部
２８  剛性ガーゼ状網部
２９，３０  垂直リブ
３１  固定プレート
６２  底部の垂直プレート
６３  前壁の内側プレート
６５  前壁の外側プレート
６６  屋根部の第１内側プレート
６７  後壁の第１内側プレート
６８  切欠部
７４  屋根部の外側プレート
７６  後壁の外側プレート
８１  底部の外側プレート
８４  屋根部の第１内側プレートと後壁の第１内側プレートの一体化ユニット
８５  底部の内側プレートと前壁の内側プレートの一体化ユニット
８６，８７  管状部材
８８  底部の外側プレート
９３  カバー部材
１８１，１８２  排水孔
【図１】
2007209342.tif 000003
【図２】
2007209342.tif 000004
【図３】
2007209342.tif 000005
【図４】
2007209342.tif 000006
【図５】
2007209342.tif 000007
【図６】
2007209342.tif 000008
【図７】
2007209342.tif 000009
【図８】
2007209342.tif 000010
【図９】
2007209342.tif 000011
【図１０】
2007209342.tif 000012
【図１１】
2007209342.tif 000013
【図１２】
2007209342.tif 000014
【図１３】
2007209342.tif 000015
【図１４】
2007209342.tif 000016
【図１５】
2007209342.tif 000017
【図１６】
2007209342.tif 000018
【図１７】
2007209342.tif 000019
【図１８】
2007209342.tif 000020
【図１９】
2007209342.tif 000021
【図２０】
2007209342.tif 000022
【図２１】
2007209342.tif 000023
【図２２】
2007209342.tif 000024
【図２３】
2007209342.tif 000025
【図２４】
2007209342.tif 000026
【図２５】
2007209342.tif 000027
【図２６】
2007209342.tif 000028
【図２７】
2007209342.tif 000029
【図２８】
2007209342.tif 000030
【図２９】
2007209342.tif 000031
【図３０】
2007209342.tif 000032
【図３１】
2007209342.tif 000033
【図３２】
2007209342.tif 000034
【図３３】
2007209342.tif 000035
【図３４】
2007209342.tif 000036
【図３５】
2007209342.tif 000037
【図３６】
2007209342.tif 000038
【図３７】
2007209342.tif 000039
【図３８】
2007209342.tif 000040
【図３９】
2007209342.tif 000041
【図４０】
2007209342.tif 000042
【図４１】
2007209342.tif 000043
【外国語明細書】
2007209342.tif 000044
2007209342.tif 000045
2007209342.tif 000046
2007209342.tif 000047
2007209342.tif 000048
2007209342.tif 000049
2007209342.tif 000050
2007209342.tif 000051
2007209342.tif 000052
2007209342.tif 000053
2007209342.tif 000054
2007209342.tif 000055
2007209342.tif 000056
2007209342.tif 000057
2007209342.tif 000058
2007209342.tif 000059
2007209342.tif 000060
2007209342.tif 000061
2007209342.tif 000062
2007209342.tif 000063
2007209342.tif 000064
2007209342.tif 000065
2007209342.tif 000066
2007209342.tif 000067
2007209342.tif 000068
2007209342.tif 000069
2007209342.tif 000070
2007209342.tif 000071
2007209342.tif 000072
2007209342.tif 000073
2007209342.tif 000074
2007209342.tif 000075
2007209342.tif 000076
2007209342.tif 000077
2007209342.tif 000078
2007209342.tif 000079
2007209342.tif 000080
2007209342.tif 000081
2007209342.tif 000082
2007209342.tif 000083
2007209342.tif 000084
2007209342.tif 000085
2007209342.tif 000086
2007209342.tif 000087
2007209342.tif 000088
2007209342.tif 000089
2007209342.tif 000090
2007209342.tif 000091
2007209342.tif 000092
2007209342.tif 000093